Podtech/llm-jp-corpus-v4-ja_patent huggingface dataset:
(57)【要約】【課題】      大径粒状蓄光剤の活用により、従来よりも高輝度の確保と残光時間の延長が可能で、さらに、蓄光剤と結合材の混合一液により、塗装工程の簡易化を実現する強度粘着一液式蓄光塗料を提供すること。【解決手段】  本発明の強度粘着一液式蓄光塗料は、蓄光剤と、アクリル系合成樹脂エマルジョンに増粘剤と造膜助剤を加えた結合材とを混合して形成されることを特徴とする。【選択図】図１
2007224257.tif 000002
【特許請求の範囲】
【請求項１】
蓄光剤と、アクリル系合成樹脂エマルジョンに増粘剤と造膜助剤を加えた結合材とを混合して形成されることを特徴とする強度粘着一液式蓄光塗料。
【発明の詳細な説明】
【技術分野】
【０００１】  本発明は、大径粒状蓄光剤の活用により、従来よりも高輝度の確保と残光時間の延長が可能で、さらに、蓄光剤と結合材の混合一液により、塗装工程の簡易化を実現する強度粘着一液式蓄光塗料に関する。
【背景技術】
【０００２】  従来より、光を蓄え自然発光が可能な蓄光剤においては、高い付加価値と優れた利便性から多方面に亘り利用されている。その利用方法の一例として、樹脂中に混合して造形物を形成したり、塗料に混合して壁面や天井表面等に塗布したりするといった方法が挙げられる。【０００３】  また、蓄光塗料の乾燥過程においても蓄光材料の粒子が沈殿することなく塗料層内で均一に拡散した状態を保つことができ、白色塗料による下塗りを施すことなく、従来の蓄光塗料に比して蓄光効率が高くて発光時間の長い蓄光塗料およびその使用方法がある（例えば、特許文献１参照）。
上掲特許文献１には、無色透明クリヤー塗料に硬化剤とシンナーとを混合した塗料原液に、分散剤、沈降防止剤および蓄光材料が混合されている蓄光塗料が開示されている。
【特許文献１】特開２０００−１０９７３０号公報（第１−２頁、図１）
【発明の開示】
【発明が解決しようとする課題】
【０００４】  しかしながら、蓄光剤を樹脂中に混合して造形物を形成したり、塗料原液に混合したりして蓄光塗料として使用する場合、蓄光材料の粒子の直径を７μｍ〜３０μｍ程度にパウダー化する必要があり、多くの手間とコスト高に繋がるという問題があった。また、１００μｍ以上の大径粒状の蓄光剤を塗料原液に混ぜて使用した場合、大径粒状蓄光剤と塗料の比重が格段に違うので、吹き付け塗装をしても粘着液のみが張り付き、蓄光剤は落下してしまい塗装にはならなかった。【０００５】  そこで本発明は上記の点に鑑み、大径粒状蓄光剤の活用により、従来よりも高輝度の確保と残光時間の延長が可能で、さらに、蓄光剤と結合材の混合一液により、塗装工程の簡易化を実現する強度粘着一液式蓄光塗料を提供することにある。
【課題を解決するための手段】
【０００６】  上記問題を解決するために本発明の強度粘着一液式蓄光塗料は、蓄光剤と、アクリル系合成樹脂エマルジョンに増粘剤と造膜助剤を加えた結合材とを混合して形成されることを特徴とする。
【発明の効果】
【０００７】  蓄光剤と、アクリル系合成樹脂エマルジョンに増粘剤と造膜助剤を加えた結合材とを混合するため、高い粘着力が得られ１００μｍ以上の大径粒状の蓄光剤を使用することが可能になる。また、壁面や天井表面の塗布材として使用した場合でも、乾燥後、蓄光剤が剥がれ落ちるといった問題を解消できる。また、蓄光材料の粒子の直径を７μｍ〜３０μｍ程度にパウダー化する必要もなく、作業効率の向上とコスト削減も実現できる。さらに、大径粒状蓄光剤の活用により、高輝度の確保と残光時間の延長が可能になる。
【発明を実施するための最良の形態】
【０００８】  以下、本発明における強度粘着一液式蓄光塗料の実施の形態を図面に基づき説明する。
図１に示す強度粘着一液式蓄光塗料１は、蓄光剤２と、アクリル系合成樹脂エマルジョンに増粘剤と造膜助剤を加えたと結合材３とを混合することにより形成される。また前記強度粘着一液式蓄光塗料１は、優れた粘着力を有するため、壁面や天井表面の塗布材として幅広く使用することができる。さらに本発明の強度粘着一液式蓄光塗料１は、前記蓄光剤２と結合材３との混合一液からなるため、塗装工程の簡易化も図れる。【０００９】  図２の（ａ）に示す蓄光剤２は、太陽光や照明器具等の光を蓄え、暗闇や夜間において幻想的な蛍光色を自然発光するもので、例えば、アルミン酸ストロンチューム系の蓄光剤が挙げられる。またその他、周知の金属化合物や希土類を複数混合し、汎用の展色剤を混合して生成されるものを使用してもよく、素材やその混合比率は特に限定されたものではない。【００１０】  また蓄光剤２の径ａは１００μｍ以上、特に１５０μｍ〜５０００μｍまでの大径粒状の蓄光剤を使用することができる。そのことにより、粉砕機を利用して蓄光材料の粒子を７μｍ〜３０μｍ程度にパウダー化する必要もなく、作業効率の向上とコストの削減が実現できる。【００１１】  図２の（ｂ）に示す結合材３は、アクリル系合成樹脂エマルジョンに増粘剤と造膜助剤を加えることにより形成され、前記蓄光剤２を混合した際、高い粘着力を発揮する。そのことにより、例えば壁面や天井表面に塗布した場合、乾燥後でも蓄光剤が剥がれ落ちるといった問題を解消できる。【００１２】  また前記結合材３を構成するアクリル系合成樹脂エマルジョンと増粘剤と造膜助剤との混合比率は特に限定されず、用途や使用する場所、また温度や湿度に応じて適宜調整することが好ましい。さらに、前記蓄光剤２と結合材３との混合比率も特に限定はなく、発光輝度やコストに応じて調整することが望ましい。【００１３】  また前記構造の強度粘着一液式蓄光塗料１は、刷毛等を利用し壁面や天井表面に塗布することができるが、水を添加し希釈することで、リスタガンやリシンガンに詰めて吹き付け塗布することも可能となる。
【図面の簡単な説明】
【００１４】
【図１】容器に収容された強度粘着一液式蓄光塗料を示す。
【図２】（ａ）は容器に収容された蓄光剤を（ｂ）は結合材を示す。
【符号の説明】
【００１５】１・・・強度粘着一液式蓄光塗料
２・・・蓄光剤
３・・・結合材
ａ・・・蓄光剤の径
【図１】
2007224257.tif 000003
【図２】
2007224257.tif 000004
(57)【要約】【課題】  絹繊維を酸加水分解、アルカリ加水分解、酵素加水分解等の方法により加水分解、精製して得たシルクアミノ酸を、ナノ化することによって消化・吸収率を高め、これを食する養毛剤とすること。【解決手段】  絹繊維を酸加水分解、アルカリ加水分解、酵素加水分解等の方法により加水分解して精製する。これをさらに超高圧処理機等によりナノ化にまで分解、精製し、これを粉末状、顆粒状、ペースト状、錠剤、カプセル、液体状等に加工して食用とした、食する養毛剤。【選択図】なし【特許請求の範囲】
【請求項１】
絹糸を酸加水分解、アルカリ加水分解、酵素加水分解等の方法により加水分解して精製し、これをさらに超高圧処理機等によりナノ単位にまで分解、精製し、これを粉末状、顆粒状、ペースト状、錠剤、カプセル、液体状等の食用に加工した、食する養毛剤。
【発明の詳細な説明】
【技術分野】
【０００１】  本発明は、シルクアミノ酸を用いた、食する養毛剤に関するものである。
【背景技術】
【０００２】  従来、絹糸を加水分解し、精製して得たシルクアミノ酸を、食用や化粧品用として用いることは広く行われている。これを食することによって養毛効果を得ようとするものはいまだ行われていないが、食する養毛剤として提案されたものには、下記の文献がある。【０００３】
【特許文献１】  特開平６−１５７３３７
【発明の開示】
【発明が解決しようとする課題】
【０００４】  特開平６−１５７３３７において、経口投与用養毛剤として提案されているものは、絹糸を加水分解し、精製して得たシルクアミノ酸を、粉末状、ペースト状、錠剤、顆粒状あるいは液体状に加工して食するというものである。
絹糸を加水分解し、精製して得られたシルクアミノ酸は、平均分子量が５００以上であり食用とした場合、消化・吸収率がそれ程高いとは言えず、養毛効果も限られている。
本発明は、シルクアミノ酸をナノ化して消化・吸収率を高め、それにより一層養毛効果を高めるようにしたものである。
【課題を解決するための手段】
【０００５】  絹繊維を酸加水分解、アルカリ加水分解、酵素加水分解等の方法により加水分解して精製する。これをさらに超高圧処理機等によりナノ化にまで分解、精製し、これを粉末状、顆粒状、ペースト状、錠剤、カプセル、液体状等に加工して食用とした、食する養毛剤。
【発明の効果】
【０００６】  本発明を食することにより、優れた養毛効果が得られる。
【発明を実施するための最良の形態】
【０００７】  絹繊維を酸加水分解、アルカリ加水分解、酵素加水分解等の公知の方法により加水分解・脱塩して精製し、粉末状とする。この状態ではまだ平均分子量が５００以上なので、これをナノ化するために、超高圧処理機にかける。この機械は１分間に１０万〜３０万回転位で、このせん断力により平均分子量が１５０以下となる。
所定時間超高圧処理機にかけた結果、分子量１５０〜８００が１１．１％、分子量７０〜１５０が５８．４％、分子量７０以下が３０．５％のナノ化されたシルクアミノ酸粉末を得た。
この比率は人間の消化・吸収にとっては最適の比率といえるものである。
このナノ化されたシルクアミノ酸粉末を、粉末状、ペースト状、錠剤、顆粒状、カプセルあるいは液体状等の食用に加工して食する。【０００８】  毛髪は、毛根部の毛母細胞により形成される。毛母細胞が分裂を繰り返し、メラニン色素を取り込みながら毛髪が成長していく。ナノ化されたシルクアミノ酸は、毛母細胞へ栄養素として供給され、毛母細胞を活性化する。即ち、毛髪の材料となり、毛髪の成長を促進する。
正常な毛髪が育成されるためには、毛乳頭などが存在していることは勿論であるが、毛母細胞が分裂をするための充分な栄養が必要とされる。ビタミンやミネラルも重要であるが、毛髪の原料となるアミノ酸が特に必要とされる。
また、毛母細胞へ充分な栄養を供給するためには、スムーズに栄養を送るための血流が正常であり、さらに、アミノ酸が血液中に豊富に存在する必要がある。ナノ化されたシルクアミノ酸を摂取することにより、血液中のアミノ酸濃度を高く維持することができるばかりでなく、血糖値やコレステロール値が正常に改善されるため血流が良くなり、毛髪の成長に必要な栄養群を迅速にバランス良く供給することが可能になり、健康な毛髪を得ることができる。【０００９】  健康な毛髪の成長には、健康な頭皮が必要である。頭皮の悪化は、ふけや乾燥肌、脂症肌等の原因となってしまい、毛髪の成長を妨げる。頭皮を健康に維持するためには、頭皮の新陳代謝を正常にする必要がある。頭皮の新陳代謝を正常に維持するためには、やはりアミノ酸が必要になる。真皮に充分なアミノ酸が供給されることにより皮膚細胞が活性化し、常に健康で肌つやの良い頭皮を保つことができる。
乾燥肌は、頭皮の水分量が不足している状態である。頭皮の水分量は、角質層によって調整されている。その水分量は、角質に存在している天然保湿因子（ＮＭＦ）によって調整される。ＮＭＦが角質の中で必要量の水分を抱え込むことによってみずみずしい肌となる。ＮＭＦを構成している主要成分はアミノ酸で、４０％を占めている。従って、ナノ化されたシルクアミノ酸を摂取することにより、角質に充分なＮＭＦを保つことができ、乾燥肌を防ぐことができる。【００１０】  頭皮の血行が悪いと、毛髪の成長に必要な栄養素が充分に供給されない。男性ホルモンであるテストステロンが原因となる脱毛では、テストステロンが受容体と結合してデヒドロテストステロンとなり、毛母細胞の活動を抑制してしまうといわれる。また、デヒドロテストステロンにより脱毛している人の頭皮の血流を測定すると、血流が低下している。従って血流を促進することによって、デヒドロテストステロンの影響を除外することができる。アミノ酸の中には体内の血流を促進するものがあり、血糖値やコレステロール値を改善するものもあり、血液の環境を改善してくれる。シルクアミノ酸には１８種類ものアミノ酸が含まれているため、それらの効果をバランス良く得ることができ、頭皮の血行が改善される。
【実験例】
【００１１】  ナノ化されたシルクアミノ酸による食用品（カプセル入り粉末）を一定期間（約１年）複数の人間に与えて実験したところ、顕著な養毛効果が認められた。
(57)【要約】      （修正有）【課題】体重が１０ｋｇ前後の超小型種雄豚を対象とし、更に、長時間低温保存が可能で、高い受胎率が期待できる、流通用及び自家用のための人工授精用精液希釈保存剤を提供する。【解決手段】ブドウ糖、クエン酸ナトリウム、重炭酸ナトリウム、ＥＤＴＡ−２Ｎａ、クエン酸、及び、トリス等の組成による人工授精用精液希釈保存剤。【選択図】なし【特許請求の範囲】
【請求項１】
超小型豚（成豚体重１０ｋｇ前後）の人工授精のため、その精液を長時間低温保存することを可能にし、高い受胎率が期待できる組成の希釈保存剤。
【請求項２】
請求項１を通して、実験用や愛玩用として市場性が期待される、超小型豚の流通用及び自家用のための人工授精用精液の希釈保存剤。
【発明の詳細な説明】
【技術分野】
【０００１】本発明は、超小型豚の精液を長時間低温保存が可能で、高い受胎率が期待できる希釈保存剤で、これを通して、超小型豚の流通用及び自家用のための人工授精用精液の希釈保存剤の分野である。
【背景技術】
【０００２】従来の豚用の精液希釈保存剤は、いわゆる、一般的な肉用豚や小型豚を対象として考案されたものである。日本国内飼養の肉用豚と小型豚の体重は、一般的に、成豚（１年齢）で、それぞれ、前者で２００ｋｇ、後者のオーミニ系で３５ｋｇ、クラウン系で４０ｋｇ、ＣＳＫ系で２５ｋｇ、ピットマンムア系で７０ｋｇ、及び、ユカタン系で４０ｋｇと言われている。
【特許文献１】特開２０００−１１９１０１号公報
【特許文献２】特開２０００−２４７８０１号公報
【特許文献３】特開平１１−３４６５９６号公報
【特許文献４】特開平６−１５８６７１号公報
【非特許文献】鳥生厚夫著「豚の実験動物用化育種改良についての提言」、畜産の研究、第５０巻  １１号（１９９６）Ｐ．１１６
【発明の開示】
【発明が解決しようとする課題】
【０００３】ここで解決しようとする課題は、一般的な肉用豚や小型豚を対象とするものではなく、毒性試験等の実験用として、また、室内飼育の可能な愛玩用として、市場性の拡大が期待される、体重が１０ｋｇ前後の超小型種雄豚を対象として、更に、長時間低温保存が可能で、高い受胎率が期待できる、流通用及び自家用のための人工授精用精液希釈保存液を提供することを課題とする。
【課題を解決するための手段】
【０００４】以上の課題を解決するため、超小型豚（成豚体重１０ｋｇ前後）の人工授精のための、長時間の低温保存が可能で、高い受胎率が期待できる、流通用及び自家用のための人工授精用精液の製造を可能とする組成の希釈保存剤である。
【発明の効果】
【０００５】この発明により、実験用や愛玩用として市場性が期待される、超小型豚の人工授精用精剤を効率的且つ安価に製造し、自家用のみならず、広域流通を可能とする。
【発明を実施するための最良の形態】
【０００６】以下、この発明の超小型種雄豚（成豚体重１０ｋｇ前後）を対象とする、精液希釈保存剤の実施の形態について、実施例を含めて説明する。【０００７】この精液希釈保存剤の超小型豚の体重等特性は、［表１］に示すとおりである。
【表１】
2007224004.tif 000002
【０００８】超小型豚の精液希釈保存液は、［表２］の希釈保存剤を１０００ｍｌの蒸留水に溶かせばよい。
【表２】
2007224004.tif 000003
この精液希釈保存液の保存有効日数は、精液保存温度帯５〜２０℃で、１４日間である。
なお、この精液希釈保存液の使用は、精液の有効精子数や温度等を検査し、精液希釈保存液を調整して混合する。
精液に対する希釈保存液の希釈比率は、おおよそ、１５対８５である。
この調整精液希釈液を超小型豚所定の精液ボトルに注入し、カテーテルに接続し、子宮に挿入し、注入すればよい。
【実施例１】
【０００９】この精液希釈保存液は、［表３］で示すとおり、５℃の精子活力（生存指数）が、１週間で８５％以上、２週間で７５％以上であり、１５℃の精子活力が、１週間で９０％以上、２週間で８０％以上であることを示した。
【表３】
2007224004.tif 000004
【００１０】保存温度１５と５℃の精液希釈液の交配成績は［表４］で示すとおりであり、それらの平均受胎率と産子数は、それぞれ、９０％と６．８頭であった。
【表４】
2007224004.tif 000005
【産業上の利用可能性】
【００１１】この発明の産業上の利用は、実験用や愛玩用として市場性が期待される、超小型豚の生産のためのコストを低減するとともに、超小型豚の人工授精用精液の広域流通を可能にし、生産拠点の拡大につなげる可能性を持つ。
(57)【要約】      （修正有）【課題】引力、遠心力を利用して動力機械を得る。【解決手段】（イ）の位置で左右移動回転板２の中心が回転主軸１より右にある為、右側が重く回転主軸１と主回転板８に付属の全ての部品が右回転を始める、（ロ）を経て（ハ）の位置で回転を一時停止させる、其の時に左側にきた錘３の定位置固定装置を解除すると同時に、２個の錘３を支えている左右移動回転板２が移動コロ４により傾いている右へ移動を始める、右側の錘３は右へ移動しながら回転主軸１に巻いてあるニードルベアリング５とスプリング６により（ニ）の位置まで来ると定位置に固定される、（ハ）の位置に来た時に固定解除されていた左側の錘３は右へ移動しながらニードルベアリング５の働きで跳ね上がり（イ）の位置になる、（イ）の位置に来た時に回転一時停止を解除する、と同時に２個の錘３を支えている左右移動回転板２の中心が回転主軸１より右にある為、右側が重くなり回転を続ける。【選択図】図１
2007224893.tif 000002
【特許請求の範囲】
【請求項１】
回転軸と共に回転する回転板を設け、その回転板が右に数度傾いた状態で回転を一時停止させた時に、上下に複数づつのローラーを設ける、上下のローラーの間に左右に移動する枠を設ける、枠の内側の左下側と右上側に錘を設ける、枠が傾いた右側に移動すると左下側の錘は回転軸に巻いてあるニードルベアリングの働きで跳ね上がり、回転軸の周りに固定される、右上側の錘は回転軸の平行線より右上に固定される、２個の錘を支えた枠の中心が回転軸より右にある為、右側が重くなり引力で下に落ちょうとする事により、回転軸と回転板に付属の全ての部品が右回転を始め、遠心力で勢いをつけて、１８０度回転させて回転を一時停止させる、其の時に左下側にきた錘の定位置固定装置を解除すると同時に、２個の錘を支えている枠がコロの働きにより傾いている右へ移動を始める、回転軸の周りに固定されていた錘は右へ移動しながら回転主軸に巻いてあるニードルベアリングとスプリングの働きにより定位置に固定される、定位置固定解除されていた左側の錘は右へ移動しながらニードルベアリングの働きで跳ね上がり回転軸の周りに固定される、と同時に回転一時停止を解除する、以上の運動を１８０度づつ繰り返し回転を続ける、錘と引力、遠心力の力を組み合わせて永久に軸を回転させる、無燃料、無公害の遠心引力動力機である。
・・・・・
【発明の詳細な説明】
【技術の分野】
【０００１】本発明は地球の環境を護る為、錘と引力、遠心力、を組み合わせて軸を回転させる無燃料、無公害の動力機械である。
【背景技術】
【０００２】従来の動力源は風力、水力、以外は全て燃料を必要とした。
【発明の開示】
【発明が解決しようとする課題】
【０００３】本発明は地球の引力、遠心力、の原理を利用して軸を回転させる無燃料、無公害機械の為、地球環境を護り全人類を護る。【０００４】将来石油危機に見舞われる事が起きても石油輸入国が動揺する事はない。
【産業上の利用分野】
【０００５】本発明は回転軸に発電装置又は動力を必要とする物に連結する事により無限に利用する事が出来る。
【作用】
【０００６】本発明は電気の無い山奥や谷間でも燃料無しで動力源として使用する事が出来る。
【課題を解決する為の手段】
【０００７】本発明を成功させた実施例を図面に基づいて説明すれば次のとおりである。
【０００８】図１の（イ）の数度右に傾いた左右移動回転板（２）の中心が回転主軸（１）より右にある為、右側が重くなり引力で下に落ちょうとする事により、回転主軸（１）と主回転板（８）に付属の全ての部品が右回転を始める。
【０００９】（ロ）を経て１８０度回転させて（ハ）の位置で回転を一時停止させる。
【００１０】其の時に左側にきた錘（３）の定位置固定装置を解除すると同時に、２個の錘（３）を支えている左右移動回転板（２）が移動コロ（４）の働きにより傾いている右へ移動を始める。
【００１１】（ハ）の位置で回転主軸（１）の周りにある錘（３）は右へ移動しながら回転主軸（１）に巻いてあるニードルベアリング（５）とスプリング（６）の働きにより（ニ）の位置まで来ると定位置に固定される。
【００１２】（ハ）の位置に来た時に固定装置が解除されていた左側の錘（３）は右へ移動しながらニードルベアリング（５）の働きで跳ね上がり回転主軸（１）の周りに固定され（イ）位置になり、回転一時停止を解除する。
【００１３】（イ）の位置になると２個の錘（３）を支えている左右移動回転板（２）の中心が回転主軸（１）より右にある為、右側が重くなり引力、遠心力により（ロ）（ハ）（ニ）を経て（イ）の位置までの１８０度の回転を繰り返し永久に軸の回転を続ける。
【００１４】一本の回転主軸（１）にラチェットを設けた複数の主回転板（８）全てに同じ部品を設け、度をずらして同じ回転運動をさせる事により個々の主回転板（８）が１８０度で一時停止をしても回転主軸（１）は一時停止をせずに回転を続ける。
【００１５】尚一枚の主回転板（８）に左右２個の錘（３）の長さや形、左右移動回転板（２）の移動の長さを異ならせる事により回転の力が異なる。
【発明の効果】
【００１６】本発明は以上説明したように地球の引力と遠心力の原理を動力源にする為、無燃料、無公害となり、地球環境を護り公害に苦しむ人々を減らし社会の平和と発展に役立つ。
【図面の簡単な説明】
【００１７】
【図１】側面断面図
【符号の説明】
【００１８】１  回転主軸
２  左右移動回転板
３  錘
４  移動コロ
５  ニードルベアリング
６  スプリング
７  ストッパー
８  主回転板
９  軸受け
・・・
【図１】
2007224893.tif 000003
(57)【要約】      （修正有）【課題】軽量で小型で効率の高い推進装置を提供する。【解決手段】水素ガスを推進装置天井で感知し、推進装置前部円周頂点に設けた点火プラグで点火する。推進装置部のダンパーが圧力で解放され、ダンパー復帰時に空気を取り込む。【選択図】なし【特許請求の範囲】
【請求項１】
００１  水素ガスを推進装置低部より供給する００２  水素ガスを推進装置天井で感知する００３  推進装置前部円周頂点に設けた点火プラグで点火する００４  推進装置後部のダンパーが圧力で開放される００４ダンパー復帰時に空気えを取り込む
【発明の詳細な説明】
【社会的利用分野】
自動車の推進力源  内燃機関のようなメカニカルなものを省いた単なる反動による推進装置である
【発明の解決しようとする課題】
軽量で小型で効率の高い推進装置を開発するバイオマス分解ガスを精製することなく使用する
【課題を解決する手段】
水素の特性を生かした推進装置を製作する
【発明の効果】
水素により移動手段が確保できる
【実施例】高圧水素ガスを推力装置低部より放出し水素ガスを装置天井で感知し適性なタイミングで装置前部中間点に設けた点火プラグより発火し推進力を得装置後部のダンパーが爆破力により開放され燃焼ガスを放出しダンパー復帰時に空気を取り入れることによりエネルギーサイクルとする
(57)【要約】【課題】防犯目的のＩＣタグと携帯電話や身分証明書等の結合は捨てられればアウトであった。また普及という点にも課題がある。【解決手段】身体に近い下着（パンツ等）にＩＣタグを装着することで、将来的には犯行経路を最大限に把握することが可能となり、下着（パンツ等）という身近な商品により、急速な普及をはかることができる。【選択図】図１
2007224478.tif 000002
【特許請求の範囲】
【請求項１】
下着（パンツ等）にＩＣタグを付着するためのポケット
【発明の詳細な説明】
【技術分野】
【０００１】本発明は、人体にもっとも密着した下着（パンツ等）に、ＩＣタグを装着し、誘拐や徘徊による行動経路を把握できるようにしたものである。
【背景技術】
【０００２】従来は防犯目的でＩＣタグを装着した下着（パンツ等）はなかった。【０００３】
【特許文献１】特開２００１−      号公報（第  頁）
【発明の開示】
【発明が解決しようとする課題】
【０００４】現在のＩＣタグを使用した行動経路の把握は、ＩＣタグを携帯電話やランドセル、身分証明書に装着する形でなされているが、いずれも捨てられればアウトである。下着（パンツ等）はその人に最後まで付着しているものであり、将来的には犯行や徘徊の経路を全て把握することを可能にする。
【課題を解決するための手段】
【０００５】下着（パンツ等）のゴム部分４の前方、へその下部あたりにポケット２を装着し、ＩＣタグ３を装着する。この位置だと自分で取り外すことが可能であり、相手から防御しやすい。
【発明の効果】
【０００６】ＩＣタグが、人物に最も身近な下着（パンツ等）に装着されているため、最終段階まで犯行経路をたどる可能性を高める。また犯人は犯行の着手をすぐになさねばならず（経路を追われる為）、犯行着手にプレッシャーをかけることができると同時に、至近で犯罪が発生すれば、すぐに救援に行くことも可能になる。また高齢者の徘徊も把握することが可能になる。下着（パンツ等）とＩＣタグの結合は製造・流通の面から考慮されるテーマなので、それを拡大して、商品につなげれば、効率的な投資になるだろう。下着（パンツ等）は日用品なので、普及を早めるだろう。
【実施例１】
【０００７】
【図面の簡単な説明】
【０００８】
【図１】本発明の正面図である。
【符号の説明】
【０００９】１  下着（パンツ等）本体
２  ＩＣタグ入れポケット
３  ＩＣタグ
４  下着（パンツ等）ゴム部
【図１】
2007224478.tif 000003
(57)【要約】【課題】    従来、使い捨て中敷カイロを入れて使う方法は、靴を履いた状態だけで足の冷えで困っている方は、室内でも暖房機がない場所で行動すると幸い場合があり、靴下の中に入れると直接肌に触れ、低温やけどやズレが生じるという問題があった。【解決手段】    靴下の足底の踵部分に挿入口を設けたポケットを付けたことにより、室内ばきでも行動することが可能になり、使い捨て中敷カイロが熱くなっても挿入口から取り出すことが簡単にでき、低温やけども防ぐ。又、足底全体が使い捨て中敷カイロを囲っているので、ズレが生じず、安定して暖かさを伝えることができる。【選択図】図１
2007224480.tif 000002
【特許請求の範囲】
【請求項１】
厚地仕立ての素材（綿・ポリエステル・ポリウレタン・ナイロン）で保温性に優れた靴下本体に使い捨て中敷カイロ用足底ポケットを靴下本体のサイズ（女性用約２２ｃｍ−２４ｃｍ、男性用約２５ｃｍ−２７ｃｍ）に合わせた同様の素材で、足底を囲むように縫い合わせ、踵部分を使い捨て中敷カイロが入る約５ｃｍ程度に開け、挿入口とする使い捨て中敷カイロ用足底ポケット付靴下。
【発明の詳細な説明】
【技術分野】
【０００１】  本発明は、足底全体にポケットを設けた、靴下に関するものである。
【背景技術】
【０００２】  従来は、使い捨て中敷カイロを足底全体にポケットを設け固定する靴下はなかった。
【発明の開示】
【発明が解決しようとする課題】
【０００３】  従来、使い捨て中敷カイロは、靴と靴下の間に入れて使うものだが、靴を脱がなければならない状況では、取り出さなければカイロが高温になることもあり、靴を履く直前まで入れられず、又、靴下と素足の間に入れると、使い捨て中敷カイロが直接肌に触れるので、低温やけどになり禁止されている。靴下を２枚重ねばきした間に使い捨て中敷カイロを入れると、ズレが生じ、きちんと暖めてくれず違和感を覚える。【０００４】  本発明は、この問題を解決しようとするものであり、外出時の出し入れの手間を省き、ズレと低温やけどの防止を実現することを目的とするものである。
【課題を解決するための手段】
【０００５】  本発明は、上記目的を達成するために靴下の足底全体に、使い捨て中敷カイロ（マイコール社製中敷カイロ足ぽかシート）を入れる挿入口を、踵部分に設けた足底ポケットとして、使い捨て中敷カイロ（マイコール社製中敷カイロ足ぽかシート）を固定する靴下である。【０００６】  上記の課題解決手段による作用は次の通りである。この靴下は、踵部分に挿入口を設けたことで、室外から靴を脱いで入室する際そのまま入ることができ、使い捨て中敷カイロ（マイコール社製中敷カイロ足ぽかシート）の飛び出しもなく固定され、取り出しの手間もなく高温にならずにすむ。又、足底全体がポケットなので２枚重ねばきしなくてもよく、厚くならず靴を履いた時の窮屈感がない。そして直接肌に触れないので低温やけどの心配も少なく、常に暖かい状態を維持できる。
【発明の効果】
【０００７】  上述したように本発明の使い捨て中敷カイロ用足底ポケット付靴下は、常に使い捨て中敷カイロ（マイコール社製中敷カイロ足ぽかシート）を保持し固定しているので、病院、学校、会社など室内に入る際、靴を脱ぐ状況での使い捨て中敷カイロ（マイコール社製中敷カイロ足ぽかシート）の取り忘れと、それによる高温を防止し、２枚重ねして履く手間と使い捨て中敷カイロ（マイコール社製中敷カイロ足ぽかシート）の出し入れを簡単に行えるようにした。特に、冷え性など常時、足を暖めたい方に提供できる。
【発明の実施するための最良の形態】
【０００８】  以下、本発明の実施の形態を添付図面（図１）に従って説明する。厚地仕立ての素材（綿・ポリエステル・ポリウレタン・ナイロン）で保温性に優れた靴下本体１に、使い捨て中敷カイロ（マイコール社製中敷カイロ足ぽかシート）用足底ポケット２を靴下本体１のサイズ（女性用約２２ｃｍ−２４ｃｍ，男性用約２５ｃｍ−２７ｃｍ）に合わせた同様の素材で、足底を囲むように縫い合わせ、踵部分を使い捨て中敷カイロ（マイコール社製中敷カイロ足ぽかシート）３が入る（靴下の素材により伸縮するので数値は概算）約５ｃｍ程度に開け、挿入口とする。
【図面の簡単な説明】
【０００９】
【図１】本発明の実施形態を示す使い捨て中敷カイロ（マイコール社製中敷カイロ足ぽかシート）用足底ポケット付靴下を上方から見た図
【図２】同靴下を側面から見た図
【符号の説明】
【００１０】１  靴下本体２  使い捨て中敷カイロ（マイコール社製中敷カイロ足ぽかシート）用足底ポケット３  使い捨て中敷カイロ（マイコール社製中敷カイロ足ぽかシート）４  挿入口
【図１】
2007224480.tif 000003
【図２】
2007224480.tif 000004
(57)【要約】      （修正有）【課題】着脱が簡単でフンドシ着用時の腰紐の締め直しが簡単なフンドシを提案する。【解決手段】腰紐の長さが左右同じ長さであったため、腰紐の結び目がフンドシ前垂れに隠れてしまい、フンドシの着脱やフンドシ着用時の腰紐の締め直しが困難であった。フンドシ縫製時において、フンドシ前垂れに腰紐を縫い付ける際、着用時腰紐の結び目が前垂れに隠れない位地で結べるよう、左右の腰紐の長さが違うように、左右の長さをずらして縫い付ける。【選択図】図１
2007224477.tif 000002
【特許請求の範囲】
【請求項１】
フンドシ前垂れに付いている腰紐は、左右の長さが違う事を特徴とするフンドシ。
【請求項２】
着用時、腰紐の結び目が前垂れに隠れない位地で結べることを特徴とする請求項１記載のフンドシ。
【発明の詳細な説明】
【技術分野】
【０００１】  この発明は、フンドシの形状に関する。
【背景技術】
【０００２】  従来のフンドシは、図２に示すようにフンドシ前垂れ（１）の上部に、左右同じ長さの腰紐（２）が設けられたものであり、図３で示すようにフンドシ着用時、腰紐の結び目（３）をフンドシ前垂れ（１）で覆い隠すものである。
【非特許文献１】越中文俊  著  「男の粋  褌ものがたり」株式会社心交社出版
【発明の開示】
【発明が解決しようとする課題】
【０００３】  従来のフンドシでは、腰紐の長さが左右同じ長さであったため、腰紐の結び目がフンドシ前垂れに隠れてしまい、フンドシの着脱やフンドシ着用時の腰紐の締め直しが困難であった。
そこで、この発明は、着脱が簡単でフンドシ着用時の腰紐の締め直しが簡単なフンドシを提供することを課題とする。
【課題を解決するための手段】
【０００４】  以上の課題を解決するために、第一発明は、フンドシ前垂れに付いている腰紐は、左右の長さが違う事を特徴とするフンドシである。
また、第二発明は、着用時、腰紐の結び目が前垂れに隠れない位地で結べることを特徴とするフンドシである。
【発明の効果】
【０００５】  第一発明、第二発明によれば、腰紐の長さが左右違うためフンドシ着用時の結び目が、フンドシ前垂れに隠れない位地で結べるため、着脱が簡単で腰紐の締め直しが簡単になる。
【発明を実施するための最良の形態】
【０００６】  この発明の実施の形態を実施例にもとづき図面を参照して説明する。
【実施例】
【０００７】  図１フンドシ前垂れ（１）と腰紐（２）は布製であり、フンドシ縫製時において、フンドシ前垂れ（１）に腰紐（２）を縫い付ける際、図４フンドシ着用時に、腰紐の結び目（３）がフンドシ前垂れ（１）に隠れない位地で結べるように、左右の長さをずらして縫い付ける。
【図面の簡単な説明】
【０００８】
【図１】本発明の平面図である。
【図２】従来技術の平面図である。
【図３】従来技術の着用時の状態を示す斜視図である。
【図４】本発明の着用時の状態を示す斜視図である。
【符号の説明】
【０００９】１  フンドシ前垂れ
２  腰紐
３  腰紐の結び目
【図１】
2007224477.tif 000003
【図２】
2007224477.tif 000004
【図３】
2007224477.tif 000005
【図４】
2007224477.tif 000006
(57)【要約】【課題】歩行性に優れた床下構造を構築可能にする。【解決手段】ロックウールに所定範囲の繊維長を有する弾性付与繊維材料を分散混合し、混合体を抄造することにより床下地材を形成する。【選択図】なし【特許請求の範囲】
【請求項１】
ロックウールに所定範囲の繊維長を有する弾性付与繊維材料を分散混合し、混合体を抄造することにより形成されたことを特徴とする床下地材。
【請求項２】
前記弾性付与繊維材料はポリプロピレンであることを特徴とする請求項１に記載の床下地材。
【請求項３】
前記弾性付与繊維材料は靱皮繊維であることを特徴とする請求項１に記載の床下地材。
【発明の詳細な説明】
【技術分野】
【０００１】
本発明は、床材の芯材や畳芯としての利用に好適な床下地材に関する。
【背景技術】
【０００２】
従来より、面板の下に所定のバネ定数を有するゴムを部分的に配置すると共に、ゴムが配置されていない空気層内にロックウールを配置することにより、床衝撃音の低減を図る床下構造が知られている（特許文献１参照）。また、ロックウールに珪藻土等の調湿材料を含有させることにより調湿機能を持たせた床下構造も知られている（特許文献２参照）。
【特許文献１】特開平７−３４６４２号公報
【特許文献２】特開２０００−２７４０５８号公報
【発明の開示】
【発明が解決しようとする課題】
【０００３】
しかしながら、ロックウールはそれ自体では高い弾力性及び復元性を有さないので、上記従来技術によれば、歩行性に優れた床下構造を構築することはできない。
【０００４】
本発明は、上記課題を解決するためになされたものであり、その目的は、歩行性に優れた床下構造を構築可能な床下地材を提供することにある。
【課題を解決するための手段】
【０００５】
本願発明の発明者らは、精力的な研究を重ねてきた結果、ロックウールに所定範囲の繊維長を有する弾性付与繊維材料を分散混合し、混合体を抄造することにより、弾力性及び復元性が強化された床下地材を形成できることを知見した。なお、上記弾性付与繊維材料の一態様としては、平均繊維長が２〜１０［ｍｍ］の範囲内にあるポリプロピレンを用いることが望ましい。また、上記弾性付与繊維材料の他の態様としては、平均繊維長が３〜８［ｍｍ］の範囲内内にある靱皮繊維を用いることが望ましい。
【発明の効果】
【０００６】
本発明に係る床下地材によれば、歩行性に優れた床下構造を構築することができる。また、本発明に係る床下地材によれば、ロックウール内に所定範囲内の繊維長を有する弾塑性付与繊維材料が混入されているので、必要最小限の弾塑性付与繊維材料によって弾力性及び復元性に優れた床下地材を形成することができると共に、目詰まりなく抄造することができる。
【発明を実施するための最良の形態】
【０００７】
以下、本発明の実施形態となる床下地材の製造方法について説明する。
【０００８】
〔実施例〕
実施例においては、始めに、ロックウール，ポリプロピレン，澱粉，シリカゲル，及び珪藻土をそれぞれ６４，２０，７，７，２［％］の重量比で水と混練することにより水混練物を調製した。次に、水混練物を型枠に流し込み、１４０［℃］の乾燥機内において２時間乾燥させることにより、１２［ｍｍ］厚の繊維板を得た。そして、得られた繊維板の調湿性及び復元性を以下の方法により評価した。
【０００９】
なお、本実施例では、ポリプロピレンとして、平均繊維長及び平均繊維径が２〜１０［ｍｍ］及び３０〜７０［μｍ］の範囲内にあるものを用いた。また、ポリプロピレンの配合量は重量比で５〜２５［％］の範囲内にするとよい。また、ポリプロピレンの代わりに、ケナフや麻等の靱皮材料を混入させてもよく、この場合、靱皮材料の平均繊維長は３〜８［ｍｍ］の範囲内にあるものを用い、配合量は５〜２０［％］の範囲内にすることが望ましい。
【００１０】
〔調湿性評価〕
上記実施例の繊維板を（１）温度２５［℃］，湿度５０［％］の雰囲気下で２４時間養生し、（２）温度２５［℃］，湿度９０［％］の雰囲気下で２４時間吸湿させ、（３）温度２５［℃］，湿度５０［％］の雰囲気下で２４時間放湿させた時の吸湿量と放湿量を測定した。測定の結果、吸湿量及び放湿量はそれぞれ２８４，２５５［ｇ／ｍ２］となり、十分な調湿機能を有することがわかった。
【００１１】
〔復元性評価〕
上記実施例の繊維板に対し３００［ｍｍ］の高さから重さ５００［ｇ］の球を落下させる落球衝撃試験を十万回行った。その結果、落球試験後の繊維板の凹み量は２．５［ｍｍ］となり、十分な弾力性及び復元性を有することがわかった。
【００１２】
以上、本発明者らによってなされた発明を適用した実施の形態について説明したが、この実施の形態による本発明の開示の一部をなす論述及び図面により本発明は限定されることはない。例えば、上記床下地材を化粧シートやクッションフロアー等、透湿性を有さないものと共に用いる場合には、表面側から裏面側又は芯材に達する透湿孔等の調湿構造を設けることが望ましい。また、上記床下地材の表層にクッションフロアーや畳表等の凹みが目立ちにくい素材を設けるようにしてもよい。また、上記床下地材は公知の丸網抄造機（例えば特公平６−１５１６３号公報参照）を用いて製造するようにしてもよい。すなわち、ロックウールを主原料とするスラリーを丸網シリンダーで濾過することにより得られたウェットマットの表面に弾性付与繊維材料を含む液体を連続的に塗布含浸させて抄造原板を製造し、この抄造原板を含浸層に沿って切断，乾燥することにより上記床下地材を製造してもよい。一般に、丸網抄造装置により製造された抄造原板中に含まれる繊維材料は、ロックウールと同様、抄き上げ方向に配向性を有するために、抄造原板は抄き上げ方向に沿って層間剥離を生じやすい。しかしながら、上記プロピレン等の所定値以上の繊維長を有する繊維材料の場合、繊維材料は柔軟性を有するために必ずしも抄き上げ方向に配向性を有さない。従って、この製造方法によれば、抄造原板の層間剥離を防止することできる。このように、上記実施の形態に基づいて当業者等によりなされる他の実施の形態、実施例及び運用技術等は全て本発明の範疇に含まれることは勿論であることを付け加えておく。
(57)【要約】【課題】留加工のための正確な角度を割り出すには、手間と時間がかかる。この作業をより早く正確に行うための発明品である。【解決手段】４つの支軸のそれぞれの間、１−２、２−３、３−４、４−１を同じ距離に保つことにより。支軸の１と３を結ぶ対角線は、５の角度を正確に二等分する。作業者は仕上げたい角度の上にＥガイドとＢガイドを合わせ、Ｆ固定金具で角度を固定する。そして、Ａ墨付けガイドを用いて、部材に墨をつける。【選択図】図１
2007224706.tif 000002
【特許請求の範囲】
【請求項１】
本発明は、二つの直線が交わる交点の角度の半分を目盛のある測定器や差金、分度器を使わずに一度の動作で割り出すことのできる発明品である。
【発明の詳細な説明】
【技術分野】
【０００１】本発明は、建築材料や、趣味の工芸に伴う留切り加工のための墨付けをより簡単かつ確実にするための道具である。  四点の支持間の長さを一定に保つことにより  対角線が各角で角度を二分等価するという性質を利用し、様々な角度を持つ工作物の留角度を正確に出すことができる。
【背景技術】
【０００２】従来は、伝統的技術で差し金を利用したり、分度器を利用して留角度を割り出していた。本発明品のような簡単かつ迅速に、作業できる道具は存在しなかった。
【発明の開示】
【発明が解決しようとする課題】
【０００４】建設現場では、窓枠、カウンター、手摺り受け枠など、留加工をする工事が多い。  二つの部材が出あう角が９０度（直角）であるなら、留角度は４５度で切断するという単純なものであるが、角度が９０度以外の場合は、とめ角度を割り出すのに手間と時間がかかる。本発明は、この課題を解消する。
【課題を解決するための手段】
【０００５】四点の支軸１，２，３，４間の距離を同じ長さに保つことにより、支軸１と３を結ぶ対角線がＢガイドとＥガイドの直線が交わる交点にできる角を二等分する。  Ａガイドは、溝が加工してあり、支軸３でスライドする。  作業者は二等分された角度をＡのガイドに沿って材料に墨付けすることができる。
【発明の効果】
【０００６】工期の短い現場でも本発明品を使用することにより、作業をより迅速、正確に進めることができる。本発明品は小型の道具であり、折りたたむこともできるため、持ち運びが便利である。本品に覚えさせた仕上がり角度が、ずれないために、固定金具で固定することができる。
以下、本発明の実施の形態について説明する。
（イ）四点の支軸１，２，３，４間の距離を同じ長さに保つことにより、支軸１と３を結ぶ対角線（Ａガイド）がＢガイドとＥガイドがなす角度５を二等分する。
（ロ）Ａガイドが３支軸でスライドするようにしてある。そして、四点の支軸が自在に動くようにすることにより、５の角度を自由に動かすことができる。
【実施例】
【０００７】図１にある実施例はＢ，Ｃ，Ｄ，Ｅは厚さ２ミリ、幅１５ミリのアルミ板を用いている。それぞれの支軸はねじで固定されているが、支軸が自由に動くためにスプリングワッシャ及びゴムパッキンを併用している。Ａガイドには溝切が必要なので厚さ５ミリのアルミ板を用いている。Ｆの固定金具は円筒形状のものを用いていて、指で容易に締めこむことができる。
【図面の簡単な説明】
【０００８】
【図１】本発明の平面図である。
【図２】３支軸の断面図である
【符号の説明】
【０００９】１  支軸
２  支軸
３  支軸
４  支軸
５  ＥとＢがなす角度
Ａ  墨付けガイド
Ｂ  ガイド
Ｃ  アーム
Ｄ  アーム
Ｅ  ガイド
Ｆ  固定金具
【図１】
2007224706.tif 000003
【図２】
2007224706.tif 000004
(57)【要約】【課題】主として海水が流通する管において、海洋環境を汚染することなくさらなる海生生物の付着防止を図る。【解決手段】主として海水が流通する管１において、管本体２の内表面に加水分解型塗料３が塗布されている。管本体２の内表面に塗布された加水分解型塗料３が海水などに浸漬した場合に、その表面からわずかずつ分解し、それにより、表面に海生生物が付着することを防止する。しかも、加水分解型塗料３は、海洋環境を汚染するような物質を含まない。このため、海洋環境を汚染することなく海生生物の付着防止を図ることができる。【選択図】  図１
2007224991.tif 000002
【特許請求の範囲】
【請求項１】
主として海水が流通する管において、管本体の内表面に加水分解型塗料が塗布されたことを特徴とする海生生物付着防止管。
【請求項２】
前記管本体が繊維強化プラスチック管であることを特徴とする請求項１記載の海生生物付着防止管。
【発明の詳細な説明】
【技術分野】
【０００１】
この発明は、海水が流通する内表面にふじつぼや海草などの海生生物が付着するのを防止する海生生物付着防止管に関するものである。
【背景技術】
【０００２】
従来より、火力発電所などにおいて、海水の取水ピットに海生生物が付着すると、冷却媒体である海水の流通に障害が発生し、発電を停止せざるを得ない事態に至ることがある。このため、海生生物の付着を防止する技術が研究されている。例えば、海洋構造体の海水と接触する面に、例えば、船舶の底面などに有機すず塗料を塗布することが行われている。また、非特許文献１には、海水揚水発電所の実証プラントにおいて、海水の水圧管路に繊維強化プラスチック管を用いたことが記載されている。
【非特許文献１】高島賢二、佐藤邦明、岩下和義，「海水揚水発電所ＦＲＰ水圧管路の強度特性と水理損失の実証的研究」，土木学会論文集，社団法人日本土木学会，２００５年１２月，第６９巻，第８０５号，ｐ．１５−２４
【発明の開示】
【発明が解決しようとする課題】
【０００３】
ところで、海洋構造体に塗布された塗料の有機すずが海水中に溶出すると、有機すずが海生生物にホルモン攪乱物質、所謂、環境ホルモンとして作用し、巻き貝などに生殖異常を引き起こすことがわかってきた。このため、有機すず塗料は、海洋環境に影響を与えることから、使用が全面的に禁止されている。
【０００４】
また、非特許文献１によれば、海水の水圧管路に用いられた繊維強化プラスチック管には、内面平滑性によって海生生物の付着が著しく減少することが知見された。
【０００５】
しかしながら、海生生物の付着防止に対する要求は大きく、より高い防汚機能が要望されている。一方、使用される塗料には、環境意識の高まりによって、より安全であることも要望されている。
【０００６】
本発明は、このような問題点に鑑みてなされたもので、海洋環境を汚染することなくさらなる海生生物の付着防止を図ることができる海生生物付着防止管を提供するものである。
【課題を解決するための手段】
【０００７】
本発明は、主として海水が流通する管において、管本体の内表面に加水分解型塗料が塗布されたことを特徴とするものである。
【０００８】
本発明によれば、加水分解型塗料は、塗布後、海水などに浸漬した場合に、その表面からわずかずつ分解し、それにより、表面に海生生物が付着することを防止する。しかも、加水分解型塗料は、海洋汚染を助長するような物質を含まない。
【０００９】
この結果、海水が流通する管本体の内表面に海生生物が付着することを防止することができるとともに、海洋環境を汚染することもない。
【００１０】
ここで、加水分解型塗料としては、例えば、ＮＫＭマリンコーティング社の製造販売に係るケイ素ポリマー系銅系カラー防汚塗料「ニュープラドール」などを挙げることができる。
【００１１】
また、管本体の材質としては、限定されない。例えば、繊維強化プラスチック管の他、加水分解型塗料を適切に選択することにより、鋼管や塩ビ管でも適用可能である。
【００１２】
本発明において、前記管本体が繊維強化プラスチック管であることが、内面平滑性を有するため、好ましい。
【００１３】
繊維強化プラスチック管は、よく知られているように、不飽和ポリエステル樹脂、ビニルエステル樹脂、エポキシ樹脂など、成形時液状で、成形後加熱、常温放置、光硬化などの方法により硬化させることのできる熱硬化性樹脂を含浸させたガラスロービング、ガラスクロス、ガラスマットなどのガラス繊維や炭素繊維などの強化繊維からなり、配合中には、炭酸カルシウムやケイ砂などを含み得る。
【発明の効果】
【００１４】
本発明によれば、海水が流通する管において、海洋環境を汚染することなくさらなる海生生物の付着防止を図ることができる。
【発明を実施するための最良の形態】
【００１５】
以下、本発明の実施の形態を図面に基づいて説明する。
【００１６】
図１には、海生生物付着防止管１の一実施形態が示されている。
【００１７】
この海生生物付着防止管１は、管本体２と、管本体２の内表面に塗布された加水分解型塗料３と、からなり、主に海水が流通する用途に使用される。
【００１８】
このように構成された海生生物付着防止管１によれば、管本体２の内表面に塗布された加水分解型塗料３が海水などに浸漬した場合に、その表面からわずかずつ分解し、それにより、表面に海生生物が付着することを防止する。しかも、加水分解型塗料３は、海洋環境を汚染するような物質を含まない。
【００１９】
したがって、海洋環境を汚染することなく海生生物の付着防止を図ることができる。
（実施例）
管本体として、繊維強化プラスチック管（積水化学工業社の製造販売に係るエスロン（登録商標）ＲＣＰ（登録商標）内圧５種管  呼び径５００ｍｍ）を用い、その内表面に加水分解型塗料を塗装した後、３０ｃｍの長さに切り出して供試管とした。
【００２０】
ここで、加水分解型塗料としては、ＮＫＭマリンコーティング社の製造販売に係る「ニュープラドール」を用いた。
【００２１】
塗装方法としては、管本体の内表面をサンディングし、軽く目荒らしし、アセトンで埃を拭き取った後、下塗り（ニュープラドール下塗り）を塗布した。次いで、３時間後、上塗り（ニュープラドール上塗り）を塗布し、約１日後、再度上塗りを塗布した。養生として、約１日以上そのまま放置した。
【００２２】
塗装が施された供試管と、何も塗装を施さない対照サンプルを海水中に３カ月間浸漬し、海生生物の付着情況を確認したところ、塗装した供試管には、海生生物の付着は認められなかったが、塗装しない対照サンプルには、１００平方センチメートル当たり０．８個のフジツボ類の付着が認められた。
【産業上の利用可能性】
【００２３】
以上のように本発明によれば、海洋環境を汚染することなく海生生物の付着防止を図ることができることから、海水の流通を長期にわたって確保することができ、保守点検作業による海水流通の中断を回避して稼働率を向上させることができる。
【図面の簡単な説明】
【００２４】
【図１】本発明の海生生物付着防止管の一実施形態を示す断面図である。
【符号の説明】
【００２５】
１  海生生物付着防止管
２  管本体
３  加水分解型塗料
【図１】
2007224991.tif 000003